【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、
前記ディスプレイ台を前記複数の商品見本を載置する載置台とこの載置台を保持する固定部材とに分割し、前記載置台を固定部材に対して着脱自在に設けてなり、
ディスプレイ台に載置された一列分の商品見本に対応した冷温パターンがそれぞれ表示された無端の冷温パターン表示体を設け、
前記ディスプレイ台に載置された一列分の商品見本に対応した冷温パターンがディスプレイ台の前面に表示されるように前記冷温パターン表示体を前記ディスプレイ台にその左右で折り返して掛け渡し、かつ、前記ディスプレイ台の前面に露出した冷温パターン表示体を手動操作するよう構成し、
前記固定部材に前記載置台を着脱する際に載置台から冷温パターン表示体を保護する保護手段を設けたことを特徴とする自動販売機の冷温表示装置。
ことを特徴とする自動販売機の冷温表示装置。
【請求項２】
ディスプレイ台を構成する載置台の左右側壁にピンを設けるとともに前記ディスプレイ台を構成する固定部材に前記ピンを着脱自在に嵌入支持する異形溝を形成してなることを特徴とする請求項１に記載の自動販売機の冷温表示装置。
【請求項３】
固定部材にその左右で折り返して掛け渡された冷温パターン表示体の外側に固定部材から切り起された保護片を有し、当該保護片の切り起しにより形成された開口を通して載置台の左右側壁に設けたピンが異形溝に挿入されることを特徴とする請求項１または請求項２記載の自動販売機の冷温表示装置。
【請求項４】
載置台は固定部材に対して前傾姿勢に傾倒自在であり、載置台の前面側の左右両端にカバー部材を設け、前記載置台を前傾姿勢に傾倒させた際に前記カバー部材が固定部材に当接して載置台を前傾姿勢に保持することを特徴とする請求項１〜３のいずれか一つに記載の自動販売機の冷温表示装置。
【手続補正２】
【補正対象書類名】明細書
【補正対象項目名】０００３
【補正方法】変更
【補正の内容】
【０００３】
さらに、ディスプレイ台上に左右方向に並べて載置された商品見本ごとに冷温状態の表示を行うようにしたものも知られている（例えば、特許文献２）。この従来装置（従来例２）においては、無端状の透明フィルムからなる表示体の周方向に複数箇所に冷温パターンを表示し、この表示体をホルダに支持された左右一対のローラ（又は、四角形の四隅の位置に配置された支持ピン）に掛け渡し、ホルダの前側から冷温パターンの一方が表示されるようにしたものであり、冷温パターンの切り替えは表示体を手動で操作するものである。
【特許文献１】特開平６−１０３４４８号公報
【特許文献２】特開２００１−１２６１２８号公報
【手続補正３】
【補正対象書類名】明細書
【補正対象項目名】０００５
【補正方法】変更
【補正の内容】
【０００５】
また、前述した従来例２においては、従来例１のように表示体の丸まりやモータの問題を解決できるものである。しかしながら、ディスプレイ台に載置された数十もの商品見本ごとに表示体が設けられているので、それぞれの表示体を手動操作して切り替えを行わねばならないこと、また、その手動操作の際には外扉を開放して外扉の裏面側から表示体を操作せねばならないことから、外扉の前方に必要とする冷温パターンが正確（左右にずれがないよう）に位置しているかを外扉の前面に回って確認しなければならないことから煩雑である。また、外扉の裏面に回ると外扉の前方から見た場合と左右が逆になることから、手動操作しようとする表示体の位置を一瞬間違えたり、戸惑ったりするおそれがある。さらに、昨今の自動販売機においては多種類の商品を販売できることが望まれており、そのため商品見本の数も多くなり、ディスプレイ室内に上下方向に複数段のディスプレイ台を設置する傾向にある。したがって、前述した従来例１においてはますますコスト高となり、従来例２においてはそれぞれの表示体を手動操作することや冷温パターンの位置確認がますます煩雑となる。
そこで、光透過材料からなり、ディスプレイ台に載置された一列分の商品見本に対応した冷温パターンがそれぞれ表示された無端の冷温パターン表示体を設け、前記ディスプレイ台に載置された一列分の商品見本に対応した冷温パターンがディスプレイ台の前面に表示されるように前記冷温パターン表示体を前記ディスプレイ台に掛け渡し、庫内に収納された商品の冷温販売モードの切り替えに応じて各商品見本に対応した所定の冷温パターンが前記ディスプレイ台の前面に表示されるように前記冷温パターン表示体を回動駆動手段により周回させる発明が本件出願人から特願３００２−２２４３１号として出願されている。
しかしながら、前記出願にあっても回動駆動手段としてモータを必要とするとともにディスプレイ台が中扉に固定されており、中扉を清掃する際にディスプレイ台に載置された商品見本を取外さねばならなので煩雑であるという問題を有する。
【手続補正４】
【補正対象書類名】明細書
【補正対象項目名】０００７
【補正方法】変更
【補正の内容】
【０００７】
上記の目的を達成するために、本発明の請求項１に係る自動販売機の冷温表示装置は、庫内に収納された商品を温蔵，冷蔵状態に保存して販売する自動販売機であって、ディスプレイ台上に左右に並べて一列に載置された複数の商品見本に対応して冷温パターンを表示する自動販売機の冷温表示装置において、前記ディスプレイ台を前記複数の商品見本を載置する載置台とこの載置台を保持する固定部材とに分割し、前記載置台を固定部材に対して着脱自在に設けてなり、ディスプレイ台に載置された一列分の商品見本に対応した冷温パターンがそれぞれ表示された無端の冷温パターン表示体を設け、前記ディスプレイ台に載置された一列分の商品見本に対応した冷温パターンがディスプレイ台の前面に表示されるように前記冷温パターン表示体を前記ディスプレイ台にその左右で折り返して掛け渡し、かつ、前記ディスプレイ台の前面に露出した冷温パターン表示体を手動操作するよう構成し、前記固定部材に前記載置台を着脱する際に載置台から冷温パターン表示体を保護する保護手段を設けたことを特徴とする。
また、本発明の請求項２に係る自動販売機の冷温表示装置は、上記請求項１において、ディスプレイ台を構成する載置台の左右側壁にピンを設けるとともに前記ディスプレイ台を構成する固定部材に前記ピンを着脱自在に嵌入支持する異形溝を形成してなることを特徴とする。
【手続補正５】
【補正対象書類名】明細書
【補正対象項目名】０００８
【補正方法】変更
【補正の内容】
【０００８】
また、本発明の請求項３に係る自動販売機の冷温表示装置は、上記請求項１または２において、固定部材にその左右で折り返して掛け渡された冷温パターン表示体の外側に固定部材から切り起された保護片を有し、当該保護片の切り起しにより形成された開口を通して載置台の左右側壁に設けたピンが異形溝に挿入されることを特徴とする。
【手続補正６】
【補正対象書類名】明細書
【補正対象項目名】０００９
【補正方法】変更
【補正の内容】
【０００９】
また、本発明の請求項４に係る自動販売機の冷温表示装置は、上記請求項１〜３において、載置台は固定部材に対して前傾姿勢に傾倒自在であり、載置台の前面側の左右両端にカバー部材を設け、前記載置台を前傾姿勢に傾倒させた際に前記カバー部材が固定部材に当接して載置台を前傾姿勢に保持することを特徴とする。
【手続補正７】
【補正対象書類名】明細書
【補正対象項目名】００１０
【補正方法】変更
【補正の内容】
【００１０】
本発明に係る自動販売機の冷温表示装置では、ディスプレイ台に載置された一列分の商品見本に対応した冷温パターンがディスプレイ台の前面に表示されるように冷温パターン表示体をディスプレイ台にフリーな状態で掛け渡しておき、ディスプレイ台の前面に露出した冷温パターン表示体を手動操作することによってディスプレイ台に載置された一列分の商品見本に対応した冷温パターンを一括して切り替えることができ、また、冷温パターン表示体はディスプレイ台を利用してそのディスプレイ台にフリー状態で掛け渡して保持しておくことのみでよいことから部品点数を削減できるのでコストの低減を図ることができる。また、ディスプレイ台を載置台と固定部材に分割し、固定部材に対して載置台を前傾姿勢に傾倒自在としたことにより、載置台を前傾姿勢に傾倒させることによって商品見本を取外すことなく清掃を行うことができ、また、載置台に載置された商品見本の交換の際にも載置台を前傾姿勢に傾倒させることによって商品見本の交換を容易に行うことができるので保守・点検の作業性が向上する。
【手続補正８】
【補正対象書類名】明細書
【補正対象項目名】００１４
【補正方法】変更
【補正の内容】
【００１４】
図２はディスプレイ台を示す分解斜視図である。ディスプレイ台７は、商品見本８を載置する載置台７１と、この載置台７１が上方から被さるように組付けられる固定部材７２とからなる。前記載置台７１は上面部７１１とこの上面部７１１の両端から下方に延在された左右側壁７１２，７１２と前面の左右両端に形成したカバー部材７１３とからなり、前記上面部７１１には不図示の係合穴が左右方向に複数（本実施の形態では１２個）並設され、それぞれの係合穴に商品見本８が嵌合保持される。また、前記載置台７１の左右側壁７１２，７１２にはそれぞれ内側に向かって突出するピン７３が取付けられている。前記載置台７１とともにディスプレイ台７を構成する固定部材７２は、前面部７２１、上面部７２２および後面部７２３を有して下方が開放する断面略コ字形に形成されるとともに左右両端に上面部７２２と後面部７２３に接続された左右側壁７２４，７２４を有しており、このように固定部材７２は下方が開放する横長の箱形に形成されている。この固定部材７２の前面部７２１には各商品見本８に対応して複数（本実施の形態では１２個）の透光穴７４が設けられ、上面部７２２は略全域にわたって開口しており、当該開口部の中央２箇所に補強のための桟７２２ａ，７２２ａが形成されている。また、固定部材７２の左右側壁７２４，７２４には上面部７２２に向けて一部が開放した異形溝７５が形成されている。この異形溝７５の開放部は載置台７１の左右側壁７１２，７１２に取付けられたピン７３が通過可能な大きさに形成されており、前記固定部材７２の上方から固定部材７２に被せるように載置台７１を組付ける際、異形溝７５の開放部を通してピン７３が異形溝７５に挿入される。
【手続補正９】
【補正対象書類名】明細書
【補正対象項目名】００１７
【補正方法】変更
【補正の内容】
【００１７】
図２および図３に示すように、冷温パターン表示体１２は、ディスプレイ台７を構成する固定部材７２の前面部７２１の前側および後面部７２３の前側を通るように固定部材７２の左右端で折り返して掛け渡されている。この冷温パターン表示体１２は固定部材７２の下部側から固定部材７２に装着される。この場合、固定部材７２の前面部７２１の両端と左右側壁７２４，７２４との間には隙間７２１ｂが形成されており、その隙間７２１ｂを通して冷温パターン表示体１２は固定部材７２に装着され、その装着状態において冷温パターン表示体１２の前方側が固定部材７２の前面部７２１の下端に設けたガイド部７２１ａにより支持され、また、冷温パターン表示体１２の後方側が固定部材７２の上面部７２２の下面と後面部７２３に設けたガイド部７２３ｂとの間で支持される。前述したとおり、冷温パターン表示体１２は固定部材７２の左右端で折り返して配設されるため、蛍光灯１３のソケットは前記隙間７２１ｂよりも内側に取付けられている。また、固定部材７２の前面部７２１の両端と左右側壁７２４，７２４との間に形成された隙間７２１ｂは、固定部材７２に載置台７１を組付けた際に載置台７１のカバー部材７１３によって覆われ、その隙間７２１ｂが自動販売機の前面から見えないようにされている。
前述のように固定部材７２に装着された冷温パターン表示体１２において、固定部材７２の前面部７２１の前側を通る略半周分の冷温パターン表示体１２の各冷温パターン１２ａは、前面部７２１に設けた各透光穴７４の位置に対応する。これにより、冷温パターン表示体１２の冷温パターン１２ａは載置台７１に載置した各商品見本８に対応して、各商品見本８の商品の冷蔵・温蔵状態を表すことになる。この際、ディスプレイ台７の箱内にある蛍光灯１３の光が透光穴７４を介して透光性フィルムからなる冷温パターン表示体１２を透過することで冷温パターン１２ａの文字および背景色が明るく表示される。なお、蛍光灯１３の光は固定部材７２の上面部７２２の開口および載置台７１の係合穴を通して商品見本８の内部に導入され、光透過材からなる商品見本８を内側から照明して商品見本８を発光させる。
【手続補正１０】
【補正対象書類名】明細書
【補正対象項目名】００２１
【補正方法】変更
【補正の内容】
【００２１】
次に、前記固定部材７２の左右側壁７２４，７２４に形成された異形溝７５の形状を図６に示す。図６は固定部材７２の右側面図であり、固定部材７２の右側壁７２４には、上面部７２２に向けて一部が開放した異形溝７５が形成されている。ここで、異形溝７５は載置台７１の左右側壁７１２に取付けたピン７３を回転可能に軸支する前半域の円弧状溝部７５ａと、該円弧状溝部７５ａに連ねて後半域に形成したスライド溝部７５ｂと、前記円弧状溝部７５ａとスライド溝部７５ｂとの中間位置から固定部材７２の上面部７２２との間に切欠き開口したピン７３の挿脱溝部７５ｃとを組合せた形状になる。前記挿脱溝部７５ｃの上端は固定部材７２の上面部７２２に切り込みを入れて下方に折り曲げた保護片７２５により開口されており、当該開口を通してピン７３が挿脱される。前記保護片７２５は固定部材７２の左右端から折り返して配設された冷温パターン表示体１２の外側に位置しており、異形溝７５の挿脱溝部７５ｃを介してピン７３を挿脱する際、当該ピン７３が冷温パターン表示体１２に接触して冷温パターン表示体１２を傷付けたり、切断してしまうのを防止する。
【手続補正１１】
【補正対象書類名】明細書
【補正対象項目名】００２２
【補正方法】変更
【補正の内容】
【００２２】
次に、図２に示すディスプレイ台７の自動販売機のディスプレイ室５（図１参照）への取付けについて説明する。まず、固定部材７２に冷温パターン表示体１２、価格表示体１４及び蛍光灯１３を装着した後、図３に示すように、固定部材７２の後面部７２３に形成された係止片７２３ａを中扉６に設けた穴（不図示）に挿入して固定部材７２を中扉６に係止する。そして、中扉６に固定された固定部材７２に載置台７１を次のように装着する。すなわち、載置台７１の左右側壁７１２に設けたピン７３が固定部材７２の左右側壁７２４に形成した異形溝７５の挿脱溝部７５ｃに対峙するように載置台７１を固定部材７２の上方から被せる。そして、載置台７１の左右側壁７１２に設けたピン７３を当該挿脱溝部７５ｃを通して異形溝７５に挿入し、前記ピン７３が異形溝７５のスライド溝部７５ｂに係合するように載置台７１を後方に向けてスライドさせる。前記ピン７３が固定部材７２の異形溝７５のスライド溝部７５ｂに係合するとピン７３が挿脱溝部７５ｃから抜け出るのが阻止され、この状態で載置台７１が固定部材７２に固定されてディスプレイ台７が形成される。なお、載置台７１には予め商品見本８が載置されていてもよく、また、後述する清掃作業を行う場合のように載置台７１を前方にスライドさせて前傾姿勢に傾倒させて商品見本８を取付けてもよいものである。
【手続補正１２】
【補正対象書類名】明細書
【補正対象項目名】００２４
【補正方法】変更
【補正の内容】
【００２４】
次に、ディスプレイ台７の背後の清掃や載置台７１に載置された商品見本８を交換するために載置台７１を前傾姿勢に傾倒させる操作について図７を用いて説明する。図７は載置台７１を前傾姿勢に傾倒させた状態を示すものであり、通常では商品見本８が直立するように載置台７１は固定部材７２の上面に装着され、この状態では、ピン７３が異形溝７５の後半域に形成したスライド溝部７５ｂに係合している。清掃などのために載置台７１を前傾姿勢に傾倒させるためには、まず、載置台７１を前方にスライドさせてピン７３を異形溝７５の前半域に形成した円弧状溝部７５ａに移動させる。ピン７３が異形溝７５の円弧状溝部７５ａに到達すると載置台７１の前方へのスライドが阻止されるので、その状態でピン７３を中心として載置台７１を前方に回動させる。前記載置台７１の前面側の左右両端に設けたカバー部材７１３の下端が固定部材７２の前面部７２１に当接するまで載置台７１を回動させると載置台７１が前傾姿勢に傾倒した図７に示す状態に保持される。このように載置台７１を前傾させることにより商品見本８の背後が開放されるので清掃作業を容易に行うことができる。前記載置台７１のカバー部材７１３については、図２に示したところの、固定部材７２の前面部７２１の両端と左右側壁７２４，７２４との間に形成された隙間７２１ｂを覆う機能を有するものであり、したがってカバー部材７１３は隙間７２１ｂを覆う機能と載置台７１を前傾姿勢に保持する機能とを兼ね備えるものである。前述したとおり載置台７１を前傾させた状態では載置台７１の上面部７１２が前方を向くことから商品見本８の載置台７１への装着や取り外しが容易となり、特に最上段のディスプレイ台７に対する商品見本８の交換が容易となる。なお、前傾した載置台７１を元の状態に戻すには前述した載置台７１の操作と逆の手順で載置台７１を戻せばよい。